(57)【要約】【課題】ユーザが望む動作モードへの確実な移行を実現しつつ、誤操作などのユーザが予期しない通常動作モード以外の動作モードへの移行を抑制する。【解決手段】複数のスイッチ４６〜４８が設けられた表示操作パネル１１を有する電子機器において、コントローラは、電源投入時に表示操作パネル１１において複数の操作ステップで構成された所定の一連の操作が行われ、当該一連の操作が所定時間内に完了した場合に、通常動作モードとは異なる特殊動作モードで起動し、一連の操作が所定時間内に未完了であった場合に、通常動作モードで起動する。【選択図】図１
2010023232.tif 000002
【特許請求の範囲】
【請求項１】
複数の操作子が設けられた操作パネルと、
電源投入時に前記操作パネルにおいて複数の操作ステップで構成された所定の一連の操作が行われ、当該一連の操作が所定時間内に完了した場合に、通常動作モードとは異なる特殊動作モードで起動する特殊動作起動部と、
前記一連の操作が前記所定時間内に未完了であった場合に、前記通常動作モードで起動する通常動作起動部と、
を備えたことを特徴とする電子機器。
【請求項２】
請求項１記載の電子機器において、
前記一連の操作が途中の前記操作ステップまでなされた状態であることを告知する操作状態告知部を備えたことを特徴とする電子機器。
【請求項３】
請求項１または請求項２記載の電子機器において、
前記操作状態告知部は、前記操作パネルにおいて長押し動作モードに対応する所定の操作がなされ、当該操作が長押し判別のための所定時間継続された場合に、長押し操作と判別した旨を告知する、
ことを特徴とする電子機器。
【請求項４】
請求項３記載の電子機器において、
前記長押し操作と判別した旨を告知した後、前記操作パネルにおいて全ての操作子が解放状態となると、前記長押し動作モードで起動する長押し動作起動部を備えたことを特徴とする電子機器。
【請求項５】
請求項１ないし請求項４のいずれかに記載の電子機器において、
前記一連の操作の最初の操作ステップは、前記電源投入と並行してなされることを特徴とする電子機器。
【請求項６】
請求項１ないし請求項５のいずれかに記載の記載の電子機器において、
前記操作ステップは、複数の操作子を同時に操作する操作を含むことを特徴とする電子機器。
【請求項７】
複数の操作子が設けられた操作パネルを有する電子機器の制御方法であって、
電源投入時に前記操作パネルにおいて複数の操作ステップで構成された所定の一連の操作が行われ、当該一連の操作が所定時間内に完了したか否かを判別する判別過程と、
前記判別に基づいて、前記一連の操作が所定時間内に完了した場合に、通常動作モードとは異なる特殊動作モードで起動する特殊動作起動過程と、
前記判別に基づいて、前記一連の操作が前記所定時間内に未完了であった場合に、前記通常動作モードで起動する通常動作起動過程と、
を備えたことを特徴とする電子機器の制御方法。
【請求項８】
複数の操作子が設けられた操作パネルを有する電子機器をコンピュータによる制御するための制御プログラムであって、
電源投入時に前記操作パネルにおいて複数の操作ステップで構成された所定の一連の操作が行われ、当該一連の操作が所定時間内に完了したか否かを判別させる判別機能と、
前記判別に基づいて、前記一連の操作が所定時間内に完了した場合に、通常動作モードとは異なる特殊動作モードで当該電子機器を起動させる特殊動作起動機能と、
前記判別に基づいて、前記一連の操作が前記所定時間内に未完了であった場合に、前記通常動作モードで当該電子機器を起動させる通常動作起動機能と、
を前記コンピュータに実現させることを特徴とする制御プログラム。
【発明の詳細な説明】
【技術分野】
【０００１】
本発明は、電子機器、電子機器の制御方法および制御プログラムに係り、特にメンテナンスモードなどの特殊動作モードあるいは長押し動作モードのように通常動作モードとは異なる動作モードに電子機器を移行させる際の技術に関する。
【背景技術】
【０００２】
従来、電子機器においては、通常動作モードは異なる特殊動作モードに移行させる場合に、所定の操作スイッチを同時押しすることにより、移行させることが行われていた（例えば、特許文献１参照）。
ところで、コストなどの観点から操作パネルのスイッチ数が少ない場合に、所定の操作スイッチを同時押しする操作により特殊動作モードに移行させようとすると、スイッチの押下パターン数が少ないので、特殊動作モードの搭載数は限定されてしまうという不具合が生じる。
そこで、従来は、同一のスイッチ押し下げパターンでもスイッチ押下時間により、移行モードを別に割り当てることが行われていた。
例えば、二つのスイッチの同時押下を行い、所定時間（例えば、５秒）未満でスイッチが離された場合は第１の特殊モードへ移行し、所定時間以上押下した場合は第２の特殊モードへ移行することとしていた。
【特許文献１】特開平７−００９７４０号公報
【発明の開示】
【発明が解決しようとする課題】
【０００３】
しかしながら、特殊動作モード等への移行時には何も表示を行っていなかったため、ユーザは、確実に所望した特殊動作モード等に移行したかを判断するのが困難であるという不具合があった。
また、従来、電源投入時にいずれかの操作パネルのスイッチが押下されている場合に、当該操作パターンに合わせて無条件に特殊動作モード等へ移行すると判定しているものがあり、このような構成では、パネルスイッチの誤操作により割当てのないスイッチパターンを押下した場合でも、通常動作モード移行までに時間がかかったり、あるいは、再度電源投入を行わないと通常動作モードへ移行できなかったりしていた。
そこで、本発明の目的は、操作パネルのスイッチ数が少ない場合であっても、ユーザが所望する通常動作モード以外の動作モードへの確実な移行を実現するとともに、誤操作などのユーザが予期しない通常動作モード以外の動作モードへの移行を抑制し通常動作モードで起動することが可能な電子機器、電子機器の制御方法及び制御プログラムを提供することにある。
【課題を解決するための手段】
【０００４】
上記課題を解決するため、本発明の第１態様は、複数の操作子が設けられた操作パネルと、電源投入時に前記操作パネルにおいて複数の操作ステップで構成された所定の一連の操作が行われ、当該一連の操作が所定時間内に完了した場合に、通常動作モードとは異なる特殊動作モードで起動する特殊動作起動部と、前記一連の操作が前記所定時間内に未完了であった場合に、前記通常動作モードで起動する通常動作起動部と、を備えたことを特徴としている。
上記構成によれば、特殊動作起動部は、電源投入時に複数の操作子が設けられた操作パネルにおいて複数の操作ステップで構成された所定の一連の操作が行われ、当該一連の操作が所定時間内に完了した場合に、通常動作モードとは異なる特殊動作モードで起動する。
【０００５】
一方、通常動作起動部は、一連の操作が所定時間内に未完了であった場合に、通常動作モードで起動する。
したがって、ユーザにより操作パネルにおいて複数の操作ステップで構成された所定の一連の操作が行われた場合には、特殊動作モードで確実に起動するとともに、ユーザの誤操作などに起因して、一連の操作が所定時間内に未完了であった場合に、特殊動作モードに対応する操作待ち状態となることなく、通常動作モードで起動することができ、使い勝手が向上する。
上記構成において、連続して行われる二つの操作ステップにおいて、操作パネルにおける操作パターンが異なるようにすることで、より複数の操作ステップの切り分けを確実に行える。また、少なくとも二つの操作ステップで一連の操作を構成するようにすることが可能である。
【０００６】
本発明の第２の態様は、第１の態様において、前記一連の操作が途中の前記操作ステップまでなされた状態であることを告知する操作状態告知部を備えたことを特徴としている。
上記構成によれば、ユーザは、複数の操作ステップで構成される一連の操作が途中の操作ステップまでなされた状態であることを確実に認識でき、安心して一連の操作の残りの操作を継続することができ、ひいては、確実に特殊動作モードに移行させることができる。
【０００７】
本発明の第３の態様は、第１の態様または第２の態様において、前記操作状態告知部は、前記操作パネルにおいて長押し動作モードに対応する所定の操作がなされ、当該操作が長押し判別のための所定時間継続された場合に、長押し操作と判別した旨を告知する、ことを特徴としている。
上記構成によれば、ユーザは、自己が行っている長押し操作が電子機器に受け付けられたことを確実に把握でき、安心して操作が行え、ひいては、確実に長押し動作モードに移行させることができる。
【０００８】
本発明の第４の態様は、第３の態様において、前記長押し操作と判別した旨を告知した後、前記操作パネルにおいて全ての操作子が解放状態（非操作状態）となると、前記長押し動作モードで起動する長押し動作起動部を備えたことを特徴としている。
上記構成によれば、長押し動作起動部は、長押し操作と判別した旨を操作状態告知部が告知した後、操作パネルにおいて全ての操作子が解放状態（非操作状態）となると、長押し動作モードで起動するので、ユーザは、操作状態を維持するだけで、長押し操作と判別された旨を確実に把握でき、確実に長押し動作モードに移行したことを把握することができる。
【０００９】
本発明の第５の態様は、第１の態様ないし第４の態様のいずれかにおいて、前記一連の操作の最初の操作ステップは、前記電源投入と並行してなされることを特徴としている。
上記構成によれば、ユーザの誤操作が複数の操作ステップで構成された所定の一連の操作あるいは長押し操作と認識されるのを抑制することができる。
【００１０】
本発明の第６の態様は、第１の態様ないし第５の態様のいずれかにおいて、前記操作ステップは、複数の操作子を同時に操作する操作を含むことを特徴としている。
上記構成によれば、より一層、ユーザの誤操作が複数の操作ステップで構成された所定の一連の操作あるいは長押し操作と認識されるのを抑制することができる。
【００１１】
本発明の第７の態様は、複数の操作子が設けられた操作パネルを有する電子機器の制御方法であって、電源投入時に前記操作パネルにおいて複数の操作ステップで構成された所定の一連の操作が行われ、当該一連の操作が所定時間内に完了したか否かを判別する判別過程と、前記判別に基づいて、前記一連の操作が所定時間内に完了した場合に、通常動作モードとは異なる特殊動作モードで起動する特殊動作起動過程と、前記判別に基づいて、前記一連の操作が前記所定時間内に未完了であった場合に、前記通常動作モードで起動する通常動作起動過程と、を備えたことを特徴としている。
上記構成によれば、ユーザにより操作パネルにおいて複数の操作ステップで構成された所定の一連の操作が行われた場合には、電子機器を特殊動作モードで確実に起動するとともに、ユーザの誤操作などに起因して、一連の操作が所定時間内に未完了であった場合に、特殊動作モードに対応する操作待ち状態となることなく、通常動作モードで起動することができ、使い勝手が向上する。
【００１２】
本発明の第８の態様は、複数の操作子が設けられた操作パネルを有する電子機器をコンピュータによる制御するための制御プログラムであって、電源投入時に前記操作パネルにおいて複数の操作ステップで構成された所定の一連の操作が行われ、当該一連の操作が所定時間内に完了したか否かを判別させる判別機能と、前記判別に基づいて、前記一連の操作が所定時間内に完了した場合に、通常動作モードとは異なる特殊動作モードで当該電子機器を起動させる特殊動作起動機能と、前記判別に基づいて、前記一連の操作が前記所定時間内に未完了であった場合に、前記通常動作モードで当該電子機器を起動させる通常動作起動機能と、を前記コンピュータに実現させることを特徴としている。
上記構成によれば、ユーザにより操作パネルにおいて複数の操作ステップで構成された所定の一連の操作が行われた場合には、コンピュータは、電子機器を特殊動作モードで確実に起動させるとともに、ユーザの誤操作などに起因して、一連の操作が所定時間内に未完了であった場合に、特殊動作モードに対応する操作待ち状態となることなく、通常動作モードで起動させることができ、使い勝手が向上する。
【発明の効果】
【００１３】
本発明によれば、操作パネルのスイッチ数が少ない場合であっても、ユーザが所望する通常動作モード以外の動作モードへの確実な移行を実現するとともに、誤操作などのユーザが予期しない通常動作モード以外の動作モードへの移行を抑制し通常動作モードで起動することができる。
【発明を実施するための最良の形態】
【００１４】
以下、図面を参照して本発明の好適な実施形態について説明する。以下においては、電子機器の一例として記録装置であるプリンタについて説明する。
図１は、実施形態のプリンタの前方の外観を示す斜視図である。
プリンタ１０は、図１に示すように、後述するプリンタ本体を覆うとともに、表示操作パネル１１が設けられたアッパーケース１２と、アッパーケース１２とともに後述するプリンタ本体を覆うロアケース１３と、シートガイド１４とを備えている。
【００１５】
図２は、プリンタの側断面図である。
プリンタ１０は、図２に示すように、記録ユニットを構成するプリンタ本体１５と、トラクタユニット１６と、を備えている。
プリンタ本体１５は、複数の記録ワイヤを選択的に打ち出す記録ヘッド２０と、この記録ヘッド２０が搭載されるキャリッジ２１と、プラテン２２と、複数の搬送ローラ２３とを、備え、記録ヘッド２０から打ち出された記録ワイヤを記録シートに打ち付けることによって文字を含む画像を記録するドットインパクトプリンタとして構成されている。ここで、記録シートには、所定長さに裁断されたカットシートと、複数枚が連結された連続シートとがある。カットシートとしては、例えば、単票紙、複写紙、通帳またはカットフィルムなどがあり、連続シートとしては連続紙がある。
さらにプリンタ本体１５は、一対のサイドフレームの間に、背面フレーム２７、プラテン２２、キャリッジ２１が設けられたキャリッジ軸２８および複数のローラ軸（不図示）などが架け渡され、各ローラ軸には搬送ローラ２３が設けられている。
【００１６】
また、トラクタユニット１６は、記録シートとしての連続シートをシート搬送機構部へ供給するものであり、左右一対のトラクタ３０を有する。各トラクタ３０は、トラクタ駆動プーリ（不図示）と、トラクタ従動プーリ（不図示）と、これらプーリに巻き掛けられたトラクタベルト３１とを備え、シート搬送モータ及び駆動輪列部によってトラクタ駆動プーリが回転駆動されて、トラクタベルト３１を駆動して連続シートを搬送する。
【００１７】
記録ヘッド２０は、多数の記録ワイヤ（不図示）を備え、これらの記録ワイヤをプラテン２２に向けて打ち出す。また、このプリンタ本体１５には、インクリボンカセット２９が着脱自在に装着され、このインクリボンカセット２９のインクリボンが記録ヘッド２０とプラテン２２との間に引き回される。これにより、記録ヘッド２０は、キャリッジ２１と共に主走査方向に走行される間に、記録ワイヤを突出させてインクリボンに打ち当て、このインクリボンのインクを、プラテン２２と記録ヘッド２０との間に搬送された記録シートに付着させ、この記録シートに文字を含む画像を記録する。
【００１８】
また、キャリッジ２１は、キャリッジ軸２８に摺動自在に挿通されるとともに、記録ヘッド２０を搭載し、図示しないキャリッジ駆動モータにより駆動されるタイミングベルトに結合される。これにより、キャリッジ２１は、キャリッジ駆動モータの正転又は逆転により、タイミングベルトを介しキャリッジ軸２８に案内されて、キャリッジ軸２８の軸方向及びプラテン２２の長手方向と一致する主走査方向に走査される。
【００１９】
搬送ローラ２３は、プラテン２２に対してプリンタ本体１５の前方及び後方に、上下に対に配置されており、図示しないシート搬送モータ及び駆動輪列部によって、図２において、時計方向又は反時計方向に回転駆動される。これによって、記録シートを、プリンタ本体１５の前方（シートガイド１４側）から後方へ搬送したり、また、プリンタ本体１５の後方から前方へ搬送したりすることができる。これにより、記録シートは、キャリッジ２１の主走査方向に直交する副走査方向に搬送される。
【００２０】
上記構成において、記録ヘッド２０による記録動作は、記録ヘッド２０がキャリッジ２１により主走査方向に移動される間に、記録ヘッド２０からの記録ワイヤの打ち出しにより一行分の記録がなされ、この一行分の記録がなされる度に、シート搬送機構部としての搬送ローラ２３（及びトラクタユニット１６）がシートを所定長搬送させ、これらの動作が繰り返されて実施される。
【００２１】
ここで、表示操作パネル１１について説明する。
図３は、表示操作パネルの説明図である。
表示操作パネル１１は、大別すると、表示部４１と、操作部４２と、を備えている。
表示部４１は、通常動作時には、電源オン時に点灯する電源ＬＥＤ４３と、記録シートがなかったり、レリースレバーの設定に問題があったりする場合に点灯するとともに、用紙詰まりあるいは排紙異常が検出された場合に点滅する用紙チェックＬＥＤ４４と、印刷可状態で点灯し、微小送りモードで点滅する印刷可ＬＥＤ４５と、を備えている。
【００２２】
操作部４２は、記録シートが連続紙である場合に、短押し（例えば、３秒未満）で改行を指示し、連続押しで改ページを指示するとともに、記録シートが単票紙である場合に短押しで改行を指示し、連続押しで排紙を指示するための改行／改ページスイッチ４６と、記録シートが連続紙である場合に、トラクタユニット１６に連続紙を新たにセットした状態で押すと給紙を指示し、連続紙が印刷位置に給紙されている状態で押すとトラクタユニット１６位置へ排紙を指示するとともに、記録シートが単票紙である場合に印刷位置に給紙されている状態で押すと排紙を指示するための給紙／排紙スイッチ４７と、短押しで印刷可状態と印刷不可状態との交互切り替えを指示するとともに、長押しで記録シート位置を微調整するための微小送りモードへの移行を指示するための印刷可スイッチ４８と、を備えている。ここで、微小送りモードに移行している状態では、改行／改ページスイッチ４６は微小送り、給紙／排紙スイッチ４７は微小戻しの操作を行うものであり、印刷可スイッチ４８を短押しすると微小送りモードを終了する。
【００２３】
図４は、プリンタの制御系の概要構成ブロック図である。
プリンタ１０は、記録シートを搬送するための搬送ローラ２３およびトラクタユニット１６を含む用紙搬送部５１と、図示しないＣＰＵ、ＲＯＭ、ＲＡＭなどを備えプリンタ１０全体を制御するコントローラ５２と、記録ヘッド２０を駆動するためのヘッド駆動部５３と、記録ヘッド２０が載置されたキャリッジを駆動するためのキャリッジ駆動部５４と、表示操作パネル１１を含む表示操作部５５と、を備えている。ＲＯＭは、ＣＰＵが各種処理を行うための制御プログラムを記憶する。
【００２４】
次に実施形態の動作を説明する。
図５は、実施形態の処理フローチャートである。
以下の説明においては、ユーザは、メンテナンスモードなどの特殊動作モードに動作モードを移行させる場合には、操作スイッチの２回押し操作を行うものとし、電源投入と同時に、給紙／排紙スイッチ４７および印刷可スイッチ４８を同時押しするとともに、２回目の操作待ち状態において、改行／改ページスイッチ４６および給紙／排紙スイッチ４７を同時押しするものとする。
【００２５】
コントローラ５２は、電源が投入されると、現在（電源投入時）の表示操作パネル１１スイッチ（操作子）４６〜４８の操作状態を検出し、第１パターンＰ１として記憶する最初のステップを行う（ステップＳ１１）。具体的には、例えば、給紙／排紙スイッチ４７および印刷可スイッチ４８の同時押しが電源投入と同時になされた場合には、給紙／排紙スイッチ４７および印刷可スイッチ４８の組み合わせを第１パターンＰ１として記憶することとなる。また、通常動作時のように、改行／改ページスイッチ４６、給紙／排紙スイッチ４７及び印刷可スイッチ４８のいずれも操作されていない場合には、全てのスイッチが操作されていない状態（解放状態）を第１パターンＰ１として記憶することとなる。
【００２６】
次にコントローラ５２は、記憶した第１パターンＰ１にメンテナンスモードなどの特殊モードの割り当てがなされているか否かを判別する（ステップＳ１２）。
ステップＳ１２の判別において、記憶した第１パターンＰ１にメンテナンスモードなどの特殊モードの割り当てがなされていない場合には（ステップＳ１２；Ｎｏ）、コントローラ５２は、通常モードでプリンタ１０を起動して、通常処理に移行する（ステップＳ１３）。
ステップＳ１２の判別において、記憶した第１パターンＰ１にメンテナンスモードなどの特殊モードの割り当てがなされている場合には（ステップＳ１２；Ｙｅｓ）、現在の操作パネルの操作子の操作状態を、第２パターンＰ２として記憶する（ステップＳ１４）。
【００２７】
次にコントローラ５２は、監視時間が所定時間を超えたか否かを判別する（ステップＳ１５）。この所定時間としては、電子機器としてのプリンタ１０に当該所定時間を経過した場合に動作モードを移行する、いわゆる長押しモードが設けられている機器である場合には、長押しモードに規定する時間に設定され、長押しモードが設けられていない機器である場合、すなわち、短押しモードしか設けられていない機器については、短押しモードに規定する時間に設定される。より具体的には、長押しモードが設けられている機器である場合には、短押しと確実に識別できるように、所定時間は例えば５秒に設定され、長押しモードが設けられていない機器である場合には、処理のもたつきを低減するために、例えば、３秒に設定される。
【００２８】
ステップＳ１５の判別において、監視時間が所定時間を超えていない場合には（ステップＳ１５；Ｎｏ）、第１パターンＰ１と第２パターンＰ２とが一致したか否かを判別する（ステップＳ１６）。この場合に、第１パターンＰ１と第２パターンＰ２とが一致するのは、ユーザが同一のスイッチを操作し続けている場合であり、一致しなくなるのは、ユーザが操作を中断したり、特殊モードに移行させたりするために他のスイッチあるいは他のスイッチの組み合わせの操作を行った場合である。
ステップＳ１６の判別において、第１パターンＰ１と第２パターンＰ２とが一致した場合には（ステップＳ１６；Ｙｅｓ）、ユーザが同一の操作を継続しているものとして、処理を再びステップＳ１４に移行する。
【００２９】
ステップＳ１６の判別において、第１パターンＰ１と第２パターンＰ２とが一致しなかった場合には（ステップＳ１６；Ｎｏ）、コントローラ５２は、第１パターンＰ１に２回押しモードの割り当てがあるか否かを判別する（ステップＳ１７）。この第１パターンＰ１と第２パターンＰ２とが一致しない状況としては、第１パターンＰ１の押し下げ後、操作をやめた場合や、第１パターンＰ１が複数のスイッチを押し下げるものである場合に、いずれかのスイッチの押し下げを故意または過失によりやめた場合や、第１パターンＰ１の押し下げ中に他のスイッチを故意あるいは過失により押し下げてしまった場合などである。
ステップＳ１７の判別において、第１パターンＰ１に２回押しモードの割り当てが無い場合には（ステップＳ１７；Ｎｏ）、コントローラ５２は、短押しモードでプリンタ１０を起動して、当該短押しモードに対応する処理に移行する（ステップＳ１８）。
【００３０】
一方、ステップＳ１７の判別において、第１パターンＰ１に２回押しモードの割り当てがある場合には、コントローラ５２は、２回目のスイッチ操作押し下げ待ち状態をＬＥＤ表示を行う（ステップＳ１９）。
具体的には、２回目のスイッチ操作押し下げ待ち状態を表す表示として、電源ＬＥＤ４３が点滅することとなる。
【００３１】
次にコントローラ５２は、現在の操作パネルの操作子の操作状態を、第３パターンＰ３として記憶する（ステップＳ２０）。
次にコントローラ５２は、ステップＳ２０で記憶した第３パターンＰ３が第１パターンＰ１に対応する２回目の操作に対応する所定のパターンと一致したか否かを判別する（ステップＳ２１）。
ステップＳ２１の判別において、ステップＳ２０で記憶した第３パターンＰ３が第１パターンＰ１に対応する２回目の操作に対応する所定のパターンと一致していない場合には（ステップＳ２１；Ｎｏ）、コントローラ５２は、誤操作時における通常動作モード起動を行うための所定待機時間が経過したか否かを判別する（ステップＳ２２）。
【００３２】
ステップＳ２２の判別において、所定待機時間が経過していない場合には（ステップＳ２２；Ｎｏ）、コントローラ５２は、処理を再びステップＳ２０に移行して処理を継続する。
ステップＳ２２の判別において所定待機時間が経過した場合には、２回押し操作の１回目の操作が誤操作であったものとして、コントローラ５２は、通常モードでプリンタ１０を起動して、通常処理に移行する（ステップＳ２４）。
ステップＳ２１の判別において、ステップＳ２０で記憶した第３パターンＰ３が第１パターンＰ１に対応する２回目の操作に対応するものと一致した場合には、コントローラ５２は、操作に対応する２回押しモードでプリンタ１０を起動して、当該２回押しモードに対応する処理に移行する（ステップＳ２３）。
【００３３】
以上の説明のように、２回押しモードの操作が完了した場合には、ユーザが所望するメンテナンスモードなどの２回押しモードに確実に移行し、ユーザが誤って操作した場合のように、２回押しモードの操作が未完了の状態が所定待機時間以上継続した場合には、そのまま待機することなく通常動作モードで起動するので、ユーザが故障などであると誤認識することもなく、使い勝手が向上する。
一方、ステップＳ１５の判別において、監視時間が所定時間を超えた場合には（ステップＳ１５；Ｙｅｓ）、コントローラ５２は、第１パターンＰ１に長押しモードの割り当てがあるか否かを判別する（ステップＳ２５）。
【００３４】
ステップＳ２５の判別において、第１パターンＰ１に長押しモードの割り当てがない場合には（ステップＳ２５；Ｎｏ）、コントローラ５２は、たまたまユーザが長押しをしてしまっただけであると判別し、短押しモードでプリンタ１０を起動して、当該短押しモードに対応する処理に移行する（ステップＳ１８）。
ステップＳ２５の判別において、第１パターンＰ１に長押しモードの割り当てがある場合には、コントローラ５２は、長押しモード確定を示すＬＥＤ表示を行う（ステップＳ２６）。
具体的には、３個のＬＥＤ、すなわち、電源ＬＥＤ４３、用紙チェックＬＥＤ４４および印刷可ＬＥＤ４５が全て点灯することとなる。この結果、ユーザは、長押しモードに移行したことを確実に把握することができる。
次にコントローラ５２は、全てのスイッチが解放されるまで待機し、長押しモードでプリンタ１０を起動して、当該長押しモードに対応する処理に移行する（ステップＳ１２）。
【００３５】
以上の説明のように、本実施形態によれば、動作モードの移行をユーザが容易に確認できるとともに、誤操作などによりユーザが予期しない操作待ちなどにより起動が行えないなどの不具合が生じることが無い。
すなわち、本実施形態によれば、操作パネルのスイッチ数が少ない場合であっても、複数の操作ステップで動作モードを指定する構成を採っているので、様々な特殊動作モードを設定することができるとともに、操作ステップの組み合わせを偶然実現することは困難であるので、ユーザが所望して操作を行う場合には、通常動作モード以外の動作モードへの確実な移行を実現するとともに、誤操作などのユーザが予期しない通常動作モード以外の動作モードへの移行を抑制できる。さらにこの場合には、所定待機時間が経過すれば、通常動作モードで起動することができるので、ユーザが故障であると認識する可能性も低減することができる。
【００３６】
以上の説明においては、特殊動作モードに移行する際の操作回数として、２回の場合について説明したが、３回以上であっても同様に適用が可能である。
以上の説明においては、電子機器としてプリンタの場合について説明したが、プロジェクタ、ディスプレイ、プロッタ、携帯型オーディオ機器など比較的、操作子が少ない電子機器であっても同様に適用が可能である。
【図面の簡単な説明】
【００３７】
【図１】実施形態のプリンタの前方の外観を示す斜視図である。
【図２】プリンタの側断面図である。
【図３】表示操作パネルの説明図である。
【図４】プリンタの制御系の概要構成ブロック図である。
【図５】実施形態の処理フローチャートである。
【符号の説明】
【００３８】
１０…プリンタ、１１…表示操作パネル（操作パネル）、４１…表示部、４２…操作部、４３…電源ＬＥＤ、４４…用紙チェックＬＥＤ、４５…印刷可ＬＥＤ、４６…改行／改ページスイッチ、４７…給紙／排紙スイッチ、４８…印刷可スイッチ、５１…用紙搬送部、５２…コントローラ（特殊動作起動部、通常動作起動部）、５３…ヘッド駆動部、５４…キャリッジ駆動部、５５…表示操作部。
【図１】
2010023232.tif 000003
【図２】
2010023232.tif 000004
【図３】
2010023232.tif 000005
【図４】
2010023232.tif 000006
【図５】
2010023232.tif 000007